(57)【要約】【課題】ゴルフクラブでゴルフボールを試打するときに、試打するゴルフクラブの種類を判別して、判別した種類と対応付けした試打データを記録保存する。【解決手段】試打データ取得システムは、ゴルフクラブまたはゴルフボールの挙動を計測する試打計測装置と、ゴルフスイング中の特徴点の発生を検出する特徴点検出センサと、前記試打計測装置の計測から試打データを算出する処理装置と、打撃前の前記ゴルフクラブヘッドを撮像する撮像装置と、を備える。前記処理装置では、前記特徴点検出センサからの検出信号に基づいた前記特徴点の検出のタイミングと、前記ゴルフクラブヘッドの撮像のタイミングとの間の時間差が所定の範囲にある画像から、前記ゴルフクラブヘッドの第１外観特徴情報を取り出して前記ゴルフクラブの種類を判別する。判別した前記ゴルフクラブの種類と、前記計測装置から得られる試打データとを対応付けて前記試打データを記録保存する。【選択図】図２
2020074920.tif 000002
【特許請求の範囲】
【請求項１】
ゴルフクラブでゴルフボールを試打するときの試打データを取得する試打データ取得システムであって、
ゴルフボールを試打するときのゴルフクラブのゴルフクラブヘッドの挙動及び打撃された前記ゴルフボールの挙動の少なくとも一方の挙動を計測する試打計測装置と、
前記ゴルフクラブによる試打の際に、ゴルフスイング中の特徴点の発生を検出する特徴点検出センサと、
前記試打計測装置による計測から前記挙動に関する試打データを算出する処理装置と、
前記ゴルフボールの打撃前の前記ゴルフクラブヘッドを撮像する撮像装置と、を備え、
前記処理装置は、
前記試打計測装置による計測から試打データを算出する試打データ算出部と、
前記特徴点検出センサからの検出信号を用いて前記特徴点の検出のタイミングを取得する特徴点取得部と、
前記撮像装置により撮像された前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別する画像判別部と、
判別した前記ゴルフクラブの種類と、前記試打データとを対応付けて前記試打データを記録保存する記録部と、
を備えることを特徴とする試打データ取得システム。
【請求項２】
前記撮像装置は、前記ゴルフクラブヘッドを、打撃前の前記ゴルフボールとともに撮像し、
前記第１外観特徴情報は、前記ゴルフクラブヘッドの大きさを含み、
前記画像判別部は、前記画像内の前記ゴルフボールの大きさと前記ゴルフクラブヘッドの大きさとを比較することにより、前記ゴルフクラブヘッドの大きさにより区別可能な前記ゴルフクラブの種類を判別する、請求項１に記載の試打データ取得システム。
【請求項３】
前記第１外観特徴情報は、前記ゴルフクラブヘッドの像の形状を含み、
前記画像判別部は、前記ゴルフクラブヘッドの形状により区別可能な前記ゴルフクラブの種類を、前記画像内の前記ゴルフクラブヘッドの像の形状により判別する、請求項１または２に記載の試打データ取得システム。
【請求項４】
前記記録部は、ゴルフクラブヘッドのモデル名あるいは型番と対応付けることができる、模様、記号、及び色彩のうちの少なくとも１つの第２外観特徴情報を有する複数のゴルフクラブヘッドの参照画像を予め保持しており、
前記画像判別部は、前記撮像装置で撮像された前記画像内の前記ゴルフクラブヘッドの像について、前記参照画像それぞれの前記第２外観特徴情報とのマッチングを行うことにより、試打に用いた前記ゴルフクラブヘッドのモデル名あるいは型番の情報を取得し、
前記記録部は、前記ゴルフクラブの種類に加えて、前記モデル名あるいは前記型番と前記試打データとを対応付けて記録保存する、請求項１〜３のいずれか１項に記載の試打データ取得システム。
【請求項５】
前記第２外観特徴情報は、前記ゴルフクラブヘッドの輪郭形状、前記ゴルフクラブヘッドのフェース面に設けられたスコアラインの模様、前記フェース面に設けられたパンチマークの配置形態、前記フェース面に形成された装飾模様、及び前記ゴルフクラブヘッドに設けられたロゴマークの少なくともいずれか１つを含む、請求項４に記載の試打データ取得システム。
【請求項６】
前記試打データ算出部は、判別した前記ゴルフクラブの種類に応じて、前記ゴルフクラブのゴルフクラブヘッドの挙動の計測結果から前記試打データを算出するための処理パラメータを設定する、請求項１〜５のいずれか１項に記載の試打データ取得システム。
【請求項７】
前記試打計測装置は、判別した前記ゴルフクラブの種類に応じて、前記ゴルフボールの打撃後の挙動を計測するための計測条件を変更する、請求項１〜６のいずれか１項に記載の試打データ取得システム。
【請求項８】
前記ゴルフクラブの種類と対応付けられた前記試打データを用いて、前記ゴルフクラブの種類毎に分けて、前記ゴルフボールの挙動の解析する解析装置を備える、請求項１〜７のいずれか１項に記載の試打データ取得システム。
【請求項９】
前記撮像装置は、前記ゴルフボールと前記ゴルフクラブヘッドの動画を撮像し、
前記ゴルフクラブの種類の判別に用いる画像は、所定の時間、前記ゴルフクラブの像を継続して含む複数の画像であり、
前記第１外観特徴情報は、外観特徴量を含み、
前記画像判別部は、前記複数の画像における前記外観特徴量の平均値あるいは中央値を用いて、前記ゴルフクラブの種類を判別する、請求項１〜８のいずれか１項に記載の試打データ取得システム。
【請求項１０】
ゴルフクラブでゴルフボールを試打するときの試打データを取得する試打データ取得システムであって、
ゴルフクラブヘッドあるいはゴルフボールを撮像する撮像装置を含み、前記ゴルフボールを試打するときのゴルフクラブの前記ゴルフクラブヘッドの挙動及び打撃された前記ゴルフボールの挙動の少なくとも一方の挙動を計測する試打計測装置と、
前記ゴルフクラブによる試打の際に、ゴルフスイング中の特徴点の発生を検出する特徴点検出センサと、
前記試打計測装置による計測から前記挙動に関する試打データを算出する処理装置と、を備え、
前記処理装置は、
前記試打計測装置による計測から試打データを算出する試打データ算出部と、
前記特徴点検出センサからの検出信号を用いて前記特徴点の検出のタイミングを取得する特徴点取得部と、
前記撮像装置により撮像された前記ゴルフボールの打撃前の前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別する画像判別部と、
判別した前記ゴルフクラブの種類と、前記試打データとを対応付けて前記試打データを記録保存する記録部と、
を備えることを特徴とする試打データ取得システム。
【請求項１１】
ゴルフクラブでゴルフボールを試打するときの試打データを取得する試打データ取得方法であって、
ゴルフボールを試打するときのゴルフクラブのゴルフクラブヘッドの挙動及び打撃されたゴルフボールの挙動の少なくとも一方の挙動を計測して試打データを取得するステップと、
前記ゴルフクラブによる試打の際に、ゴルフスイング中の特徴点の発生を検出するステップと、
前記ゴルフボールの打撃前の前記ゴルフクラブヘッドを撮像するステップと、
撮像された前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別するステップと、
判別した前記ゴルフクラブの種類と、前記試打データとを対応付けて前記試打データを記録保存するステップと、を備えることを特徴とする試打データ取得方法。
【請求項１２】
ゴルフクラブのモデル名あるいは型番と対応付けることができる、模様、記号、及び色彩のうち少なくとも１つの第２外観特徴情報を有する複数のゴルフクラブヘッドの参照画像をメモリに予め保持しておき、
前記ゴルフクラブの種類を判別するステップは、撮像された前記画像内の前記ゴルフクラブヘッドの像について、前記参照画像それぞれの前記第２外観特徴情報とマッチングを行うことにより、試打に用いた前記ゴルフクラブのモデル名あるいは型番の情報を取得し、
前記記録保存するステップは、取得した前記モデル名あるいは前記型番と前記試打データとを対応付けて記録保存するステップを含む、請求項１１に記載の試打データ取得方法。
【発明の詳細な説明】
【技術分野】
【０００１】
本発明は、ゴルフクラブでゴルフボールを試打するときの試打データを取得する試打データ取得システム及び試打データ取得方法に関する。
【背景技術】
【０００２】
近年、ゴルフクラブを販売するショップ内で、ゴルフクラブを購入しようとする者がゴルフクラブを試打し、その試打結果である試打データを利用してゴルフスウィングを分類して、適切なゴルフクラブを提供することができるゴルフクラブのフィッティングシステムが利用されている。このフィッティングシステムでは、購入しようとするゴルフクラブを試打した試打データから、このゴルフクラブが適切なものであるか否かを、確認することもできる。
【０００３】
このようなゴルフクラブのフィッティングシステムは、ゴルフクラブの挙動及び打撃されたゴルフボールの挙動を計測して試打データを得る。ゴルフスウィング中のゴルフクラブや打撃されたゴルフボールの挙動は、撮影装置（カメラ）で撮影した画像を用いて計測される。
例えば、打撃されて高速で移動するゴルフボールを撮影するためには、光学式センサが広く用いられる。光学式センサを用いたゴルフボールの撮影方法の一例として、打撃により移動を開始するゴルフボールを撮影する場合に、ゴルフクラブヘッドの移動経路上に光学式センサの検出範囲を設定し、ゴルフクラブヘッドの通過をトリガとして撮影を行う方法が挙げられる。また、練習者によるゴルフスウィングを連続的に撮影するとともに、ボールセンサによりティー上のゴルフボールの有無を検出し、撮影開始後ティー上にゴルフボールがなくなったことを検出すると、トリガ信号を出力し、トリガ信号の出力から所定時間経過後に撮影を停止する方法が知られている（特許文献１）。
【先行技術文献】
【特許文献】
【０００４】
【特許文献１】特開平５−１５６２８号公報
【発明の概要】
【発明が解決しようとする課題】
【０００５】
このような方法でゴルフクラブやゴルフボールの挙動を計測して試打データを得ることはできる。このとき、ゴルフクラブによるゴルフボールの試打の前後に、試打の計測を行うオペレータが、ゴルフクラブの商品名（メーカー名、モデル名、型番等）やその仕様（番手、ロフト角度、シャフトのフレックスレベル、トルクレベル等）等を特定できる識別情報を試打計測装置に入力することにより、試打に用いたゴルフクラブを特定することができ、試打データと特定したゴルフクラブとの対応付けを行って試打データを管理することができる。しかし、オペレータが計測の度にゴルフクラブが特定できるように識別情報を入力する煩わしさから、この入力が無視されて、あるいは忘れられて試打の計測が行われる場合もある。この場合、試打データには、どのようなゴルフクラブの種類、仕様を用いてゴルフクラブを試打したのか不明となり、試打データを後日有効活用することはできない。また、識別情報の入力は誤入力の場合もある。少なくともゴルフクラブの種類が試打データと対応付けられていれば、試打データを後日有効活用することはできる。ここで、ゴルフクラブの種類とは、例えば、ウッド系であれば、ドライバー（１番あるいは１Ｗ）、スプーン（３番あるいは３Ｗ）、クリーク（５番あるいは５Ｗ）、ユーティティ等を意味し、アイアン系であれば、３番アイアン（３Ｉ）、４番アイアン（４Ｉ）、５番アイアン（５Ｉ）、・・・、ピッチングウェッジ（ＰＷ）、アプローチ・ウェッジ（ＡＷあるいはＰ／Ｓ）、及びサンド・ウェッジ（ＳＷ）等を意味し、これらのゴルフクラブはゴルフクラブヘッドの大きさや形状等の外観特徴量によって識別可能なものである。
【０００６】
一方、試打に用いるゴルフクラブを特定できる識別情報を、ゴルフクラブに設けられたＲＦタグ内に記録保持させ、この記録保持している識別情報をＲＦタグ読み取り機で読み取って、試打データと対応付けることはできる。しかし、ゴルフクラブを試打するときに、ＲＦタグが設けられたゴルフクラブをＲＦタグ読み取り機に近づけて読み取り処理を行わせる動作をすることは煩わしく、場合によっては、この動作を省略する場合もある。
また、ゴルフクラブを種々変更して試打を行う場合、試打の計測場所の近くに種々のゴルフクラブを取り揃えて置くので、一度に複数の識別情報をＲＦタグ読み取り機で読み取る場合も多く、実際にどのゴルフクラブを使用して試打したのか特定できない場合もある。
【０００７】
そこで、本発明は、ゴルフクラブでゴルフボールを試打するときに、従来のようにＲＦタグを用いることなく、試打するゴルフクラブの種類を少なくとも判別して、判別した種類と対応付けした試打データを記録保存することができる、試打データ取得システム及び試打データ取得方法を提供することを目的とする。
【課題を解決するための手段】
【０００８】
本発明の一態様は、ゴルフクラブでゴルフボールを試打するときの試打データを取得する試打データ取得システムである。当該試打データ取得システムは、
ゴルフボールを試打するときのゴルフクラブのゴルフクラブヘッドの挙動及び打撃されたゴルフボールの挙動の少なくとも一方の挙動を計測する試打計測装置と、
前記ゴルフクラブによる試打の際に、ゴルフスイング中の特徴点の発生を検出する特徴点検出センサと、
前記試打計測装置による計測から前記挙動に関する試打データを算出する処理装置と、
前記ゴルフボールの打撃前の前記ゴルフクラブヘッドを撮像する撮像装置と、を備え、
前記処理装置は、
前記試打計測装置による計測から試打データを算出する試打データ算出部と、
前記特徴点検出センサからの検出信号を用いて前記特徴点の検出のタイミングを取得する特徴点取得部と、
前記撮像装置により撮像された前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別する画像判別部と、
判別した前記ゴルフクラブの種類と、前記試打データとを対応付けて前記試打データを記録保存する記録部と、
を備える。
【０００９】
前記撮像装置は、前記ゴルフクラブヘッドを、打撃前の前記ゴルフボールとともに撮像し、
前記第１外観特徴情報は、前記ゴルフクラブヘッドの大きさを含み、
前記画像判別部は、前記画像内の前記ゴルフボールの大きさと前記ゴルフクラブヘッドの大きさとを比較することにより、前記ゴルフクラブヘッドの大きさにより区別される前記ゴルフクラブの種類を判別する、ことが好ましい。
【００１０】
前記第１外観特徴情報は、前記ゴルフクラブヘッドの像の形状を含み、
前記画像判別部は、前記ゴルフクラブヘッドの形状により区別可能な前記ゴルフクラブの種類を、前記画像内の前記ゴルフクラブヘッドの像の形状により判別する、ことが好ましい。
【００１１】
前記記録部は、ゴルフクラブヘッドのモデル名あるいは型番と対応付けることができる、模様、記号、及び色彩のうちの少なくとも１つの第２外観特徴情報を有する複数のゴルフクラブヘッドの参照画像を予め保持しており、
前記画像判別部は、前記撮像装置で撮像された前記画像内の前記ゴルフクラブヘッドの像について、前記参照画像それぞれの前記第２外観特徴情報とのマッチングを行うことにより、試打に用いた前記ゴルフクラブヘッドのモデル名あるいは型番の情報を取得し、
前記記録部は、前記ゴルフクラブの種類に加えて、前記モデル名あるいは前記型番と前記試打データとを対応付けて記録保存する、ことが好ましい。
【００１２】
前記第２外観特徴情報は、前記ゴルフクラブヘッドの輪郭形状、前記ゴルフクラブヘッドのフェース面に設けられたスコアラインの模様、前記フェース面に設けられたパンチマークの配置形態、フェース面に形成された装飾模様、及び前記ゴルフクラブヘッドに設けられたロゴマークの少なくともいずれか１つを含む、ことが好ましい。
【００１３】
前記試打データ算出部は、判別した前記ゴルフクラブの種類に応じて、前記ゴルフクラブのゴルフクラブヘッドの挙動の計測結果から前記試打データを算出するための処理パラメータを設定する、ことが好ましい。
【００１４】
前記試打計測装置は、判別した前記ゴルフクラブの種類に応じて、前記ゴルフボールの打撃後の挙動を計測するための計測条件を変更する、ことが好ましい。
【００１５】
前記ゴルフクラブの種類と対応付けられた前記試打データを用いて、前記ゴルフクラブの種類毎に分けて、前記ゴルフボールの挙動の解析する解析装置を備える、ことが好ましい。
【００１６】
前記撮像装置は、前記ゴルフボールと前記ゴルフクラブヘッドの動画を撮像し、
前記ゴルフクラブの種類の判別に用いる画像は、所定の時間、前記ゴルフクラブの像を継続して含む複数の画像であり、
前記第１外観特徴情報は、外観特徴量を含み、
前記画像判別部は、前記複数の画像における前記外観特徴量の平均値あるいは中央値を用いて、前記ゴルフクラブの種類を判別する、ことが好ましい。
【００１７】
本発明の他の一態様は、ゴルフクラブでゴルフボールを試打するときの試打データを取得する試打データ取得システムである。当該試打データ取得システムは、
ゴルフクラブヘッドあるいはゴルフボールを撮像する撮像装置を含み、前記ゴルフボールを試打するときのゴルフクラブの前記ゴルフクラブヘッドの挙動及び打撃された前記ゴルフボールの挙動の少なくとも一方の挙動を計測する試打計測装置と、
前記ゴルフクラブによる試打の際に、ゴルフスイング中の特徴点の発生を検出する特徴点検出センサと、
前記試打計測装置による計測から前記挙動に関する試打データを算出する処理装置と、を備える。
前記処理装置は、
前記試打計測装置による計測から試打データを算出する試打データ算出部と、
前記特徴点検出センサからの検出信号を用いて前記特徴点の検出のタイミングを取得する特徴点取得部と、
前記撮像装置により撮像された前記ゴルフボールの打撃前の前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別する画像判別部と、
判別した前記ゴルフクラブの種類と、前記試打データとを対応付けて前記試打データを記録保存する記録部と、
を備える。
【００１８】
本発明の他の一態様は、ゴルフクラブでゴルフボールを試打するときの試打データを取得する試打データ取得方法である。当該試打データ取得方法は、
ゴルフボールを試打するときのゴルフクラブのゴルフクラブヘッドの挙動及び打撃されたゴルフボールの挙動の少なくとも一方の挙動を計測して試打データを取得するステップと、
前記ゴルフクラブによる試打の際に、ゴルフスイング中の特徴点の発生を検出するステップと、
前記ゴルフボールの打撃前の前記ゴルフクラブヘッドを撮像するステップと、
撮像された前記ゴルフクラブヘッドの画像のうち、前記特徴点の検出のタイミングと、前記画像の撮像のタイミングとの間の時間差が所定の範囲にある画像から、前記ゴルフクラブヘッドの第１外観特徴情報を取り出し、前記第１外観特徴情報に基づいて前記ゴルフクラブの種類を判別するステップと、
判別した前記ゴルフクラブの種類と、前記試打データとを対応付けて前記試打データを記録保存するステップと、を備える。
【００１９】
前記試打データ取得方法において、
ゴルフクラブのモデル名あるいは型番と対応付けることができる、模様、記号、及び色彩のうち少なくとも１つの第２外観特徴情報を有する複数のゴルフクラブヘッドの参照画像をメモリに予め保持しておき、
前記ゴルフクラブの種類を判別するステップは、撮像された前記画像内の前記ゴルフクラブヘッドの像について、前記参照画像それぞれの前記第２外観特徴情報とマッチングを行うことにより、試打に用いた前記ゴルフクラブのモデル名あるいは型番の情報を取得し、
前記記録保存するステップは、取得した前記モデル名あるいは前記型番と前記試打データとを対応付けて記録保存するステップを含む、ことが好ましい。
【発明の効果】
【００２０】
上述の試打データ取得システム及び試打データ取得方法によれば、ゴルフクラブでゴルフボールを試打するときに、従来のようにＲＦタグを用いることなく、試打するゴルフクラブの種類を少なくとも判別して、判別した種類と対応付けした試打データを記録保存することができる。
【図面の簡単な説明】
【００２１】
【図１】一実施形態の試打データ取得システムを説明する図である。
【図２】図１に示す試打データ取得システムの構成の一例を示すブロック図である。
【図３】（ａ），（ｂ）は、ゴルフクラブヘッドに貼り付けるマーカの貼り付け場所の例を示す図である。
【図４】（ａ）は、ゴルフボールに設けられる３種類のマーカの一例を示す図であり、（ｂ）は、移動するゴルフボールのマーカの移動の一例を示す図である。
【発明を実施するための形態】
【００２２】
以下、一実施形態の試打データ取得システム及び試打データ取得方法について詳細に説明する。
【００２３】
（試打データの取得の概略説明）
一実施形態の、ゴルフクラブでゴルフボールを試打したときの試打データの取得は、以下のフローで行われる。
（１）ゴルフボールを試打する際、ゴルフクラブをアドレス状態にするために、ゴルフボールの打撃方向の後方の所定の位置にゴルフクラブヘッドをセットして、ゴルフスウィングの動作を開始する。このとき、ゴルフクラブヘッドは、ゴルフクラブヘッド撮像装置により撮像される。ゴルフクラブヘッド撮像装置は、ゴルフクラブ及びゴルフボールの挙動を計測する試打計測装置とともに、ゴルフボールの位置からみてゴルフスウィングを行う者と反対側に対向するように設けられる。ゴルフクラブヘッド撮像装置では、アドレスする時のゴルフクラブヘッドの位置を含むよう撮像エリアが設定される。ゴルフクラブヘッド撮像装置は、一定のフレームレートで撮像されて複数の画像を得る。
【００２４】
（２）ゴルフスウィングを開始して、ゴルフボールを打撃する際、ゴルフクラブヘッドの挙動及びゴルフボールの挙動の少なくとも一方の挙動を試打計測装置により計測して試打データを取得する。ゴルフクラブヘッドの挙動あるいはゴルフボールの挙動は、公知の計測方法及び計測システムを用いて計測することができる。計測方法及び計測システムとして、例えば特開２００５−３４６１９号公報、特開２００９−４５４９５号公報、特開２０１０−０４２０８６号公報、特開２０１７−２２４４０号公報に記載する計測方法及び計測システムを挙げることができる。試打データは、例えば、ゴルフボール打撃直前のゴルフクラブヘッドのフェーススピード、ゴルフボール打撃直前のゴルフクラブヘッドの上下方向の進入角、ゴルフボール打撃直前のゴルフクラブヘッドの左右方向の進入角、ダイナミックロフト、フェース角、ライ角、ゴルフクラブヘッドのフェース面における上下方向のゴルフボール打点位置、ゴルフクラブヘッドのフェース面における左右方向のゴルフボール打点位置、ゴルフボールスピード（初速度）、ゴルフボールの上下打出角、ゴルフボールの左右打出角、ゴルフボールのバックスピン量、及びゴルフボールのサイドスピン量を含む。
【００２５】
（３）ゴルフクラブによる試打の際、ゴルフスウィング中の識別可能な特徴点の発生を検出する。特徴点とは、例えば、ゴルフボールを打撃すること、ゴルフスウィングのテークバック時にゴルフクラブが位置センサの検出位置を通過すること、あるいは、ゴルフスウィングのダウンスウィング時にゴルフクラブが位置センサの検出位置を通過すること、である。ゴルフボールの打撃は、ゴルフクラブヘッドの挙動の計測結果（ドップラーレーダ速度計の計測データ、高速度カメラまたは多重露光により連続撮影したゴルフクラブヘッドの軌道から計算した処理データ）から、移動速度が急激に低下した時点として検出することができる。また、打撃は、ゴルフボールの移動速度の計測結果（ドップラーレーダ速度計の計測データ、高速度カメラまたは多重露光により連続撮影したゴルフクラブヘッドの軌道から計算した処理データ）から、移動速度が０から急激に立ち上がる時点として検出することができる。また、打撃は、ティーに載せたゴルフボールの存在の有無を検知する検知センサがゴルフボール有りから無しに変化する時点として検出することができる。また、打撃は、ゴルフボールを打撃した時の打撃音をマイクで取得して得られる打撃信号の発生時点として検出することもできる。
【００２６】
（４）さらに、ゴルフクラブヘッド撮像装置により撮像されたゴルフクラブヘッドの画像のうち、検出された特徴点の検出のタイミングと、ゴルフクラブヘッド撮像装置による画像の撮像のタイミングとの間の時間差が所定の範囲にある画像から、ゴルフクラブヘッドの第１外観特徴情報を取り出し、この第１外観特徴情報に基づいてゴルフクラブの種類を判別する。なお、試打計測装置において、ゴルフクラブヘッドあるいはゴルフボールを撮像装置で撮像してゴルフクラブヘッドあるいはゴルフボールの挙動を計測する場合、ゴルフクラブヘッド撮像装置として試打計測装置の撮像装置を用いることもできる。
【００２７】
一例として、アドレス時、ゴルフクラブは少なくとも一定期間静止あるいは略静止（ワッグルの状態も含む）した状態になるので、このアドレス中に、ゴルフクラブヘッド撮像装置は、静止しているあるいは略静止しているゴルフクラブヘッドを撮像する。この後、テークバック及びダウンスウィングを経てゴルフボールの打撃を行うが、このゴルフボールの打撃を特徴点として、ゴルフクラブヘッドの画像の撮像のタイミングと打撃の検出のタイミングとの間の時間差（経過時間）を用いて、試打するゴルフクラブヘッドの複数の画像から、例えばアドレス時のゴルフクラブヘッドの像を取得することができる。アドレス開始時から打撃時点までの時間は、例えば５秒以内である場合が多いので、アドレス状態のゴルフクラブヘッドの画像を取得することができる。
【００２８】
特徴点は、打撃の他に、上述したように、ゴルフスウィングのテークバック時にゴルフクラブが位置センサの検出位置を通過すること、あるいは、ゴルフスウィングのダウンスウィング時にゴルフクラブが位置センサの検出位置を通過すること、とすることもできる。この場合も、特徴点の検出タイミングと、識別情報について読み取ったタイミングとの時間差を用いて、試打するゴルフクラブの識別情報を適切に特定することができる。
【００２９】
（５）アドレス状態にあるゴルフクラブヘッドの画像から、ゴルフクラブヘッドの第１外観特徴情報を取り出し、ゴルフクラブの種類、例えば番手を判別する。第１外観特徴情報は、ゴルフクラブヘッドの大きさあるいはゴルフクラブヘッドの形状に関する情報を少なくとも含む。ゴルフクラブヘッドの像の取得は、一例として、ゴルフクラブヘッドに対応した特定範囲の画素値を有する画素を、背景に対応した画素値を有する画素から切り分けて抽出することができる。抽出した画素の総数をゴルフクラブヘッドの大きさとすることができる。また、打撃前のゴルフボールをゴルフクラブヘッドとともに撮像している場合、画像中の、ゴルフボールに対応した特定範囲の画素値を有する画素を、ゴルフクラブヘッド及び背景に対応した画素値を有する画素から切り分けて抽出し、抽出した画素の総数をゴルフボールの大きさとし、ゴルフボールの大きさに対するゴルフクラブヘッドの大きさの比率を、ゴルフクラブヘッドの大きさとすることもできる。また、撮像装置の撮像エリアが固定され同じ画角の像を常時撮像できる場合、ゴルフボールを基準としたゴルフクラブヘッドの大きさの比率を抽出しなくてもよく、この場合、ゴルフクラブヘッドの対応する画素の総数により、ゴルフクラブの種類を判別してもよい。
また、抽出したゴルフクラブヘッドの画像の領域から、ゴルフクラブヘッドのゴルフクラブシャフトが挿入される筒形状のソケット部の像を、抽出したゴルフクラブヘッドの像から除去して得られるクラウン部及びサイド部の像の輪郭形状の情報を第１外観特徴情報とすることもできる。クラウン部の輪郭形状は、ウッド系のゴルフクラブの場合、種類によって大きく異なるので、抽出したクラウン部の像の輪郭形状から、ゴルフクラブの種類を判別することができる。上記輪郭形状は、例えば曲線の傾斜角度や曲率によって特徴付けることができる。また、クラウン部及びサイド部の像の縦横比を第１外観特徴情報とすることもできる。
【００３０】
（６）最後に、判別したゴルフクラブの種類と、試打データとを対応付けて試打データを記録部に記録保存する。
このように、撮像装置により撮像されたゴルフクラブヘッドの画像のうち、特徴点の検出のタイミングと、ゴルフクラブヘッドの撮像のタイミングとの間の時間差が所定の範囲にある画像から、ゴルフクラブヘッドの第１外観特徴情報を取り出し、この第１外観特徴情報に基づいてゴルフクラブの種類を判別し、判別したゴルフクラブの種類と、試打データとを対応付けて試打データを記録保存する。従来のように、ゴルフスウィングとは別に、試打に用いたゴルフクラブの識別情報を読み取るための動作をすることなく、ゴルフクラブの種類を判別し、この判別した種類と対応付けした試打データを記録保存することができる。これにより、ゴルフクラブ製造業者は、後日、ゴルフクラブの種類毎に試打データを整理して、ゴルフクラブの種類毎に試打データを解析した結果を、種々のタイプのゴルファに適したゴルフクラブを設計するための情報として利用することができる。
【００３１】
（試打データ取得システム）
図１は、一実施形態の試打データ取得方法を実行する試打データ取得システム１０を説明する図である。
試打データ取得システム１０（以下、システム１０という）は、試打する人（以下、ゴルファという）Ｇがゴルフクラブ２４を把持し、ゴルフスウィングして方向ａに向かってゴルフボールｂを打撃するとき、このゴルフボールｂの打撃前後（インパクト前後）のゴルフクラブヘッド２８の挙動および打撃後（インパクト後）のゴルフボールｂの挙動を計測する機能を有する。
システム１０においては、ゴルファＧがゴルフボールｂを１球打撃するたびに、ゴルフボールｂの挙動と、ゴルフクラブヘッド２８の挙動とが計測される。
【００３２】
システム１０は、試打計測装置１４と、打撃検出センサ１５（特徴点検出センサ）と、
ゴルフクラブヘッド撮像装置１６と、処理装置１８と、ディスプレイ３０と、操作部３２と、を主に有する。図２は、試打データ取得システム１０の構成の一例を示すブロック図である。処理装置１８はコンピュータで構成され、ＣＰＵ２０とメモリ（記録部）２２を備える。処理装置１８は、ディスプレイ３０及び操作部３２と接続されている。
ディスプレイ３０は、ゴルフクラブの試打結果を画面表示し、また、試打データを算出するための処理内容を設定するための設定画面を表示する。
操作部３２は、マウスおよびキーボードであって、上記処理内容の指示、あるいは試打結果を表示するための画面の指示等を、操作者が入力するために用いられる。
【００３３】
処理装置１８では、図示されないＲＯＭに記憶されたソフトウェアアプリケーションをＣＰＵ２０が呼び出して起動することにより、後述する試打データ算出部１８ａ、特徴点取得部１８ｂ、及び画像判定部１８ｃを有効化する。すなわち、試打データ算出部１８ａ、特徴点取得部１８ｂ、及び画像判別部１８ｃは、ソフトウェアアプリケーションを呼び出して起動することにより構成されるソフトウェアモジュールである。
【００３４】
試打計測装置１４は、ゴルフクラブヘッド挙動検出ユニット１４ａと、ゴルフボール挙動検出ユニット１４ｂと、を有する。
【００３５】
ゴルフクラブヘッド挙動検出ユニット１４ａは、ゴルフクラブヘッド２８の試打時の挙動を計測する部分である。計測によって、例えば、ゴルフボール打撃直前のゴルフクラブヘッド２８のフェーススピード、ゴルフボール打撃直前のゴルフクラブヘッド２８の上下方向の進入角、ゴルフボール打撃直前のゴルフクラブヘッド２８の左右方向の進入角、ダイナミックロフト、フェース角、ライ角、ゴルフクラブヘッド２８のフェース面における上下方向のゴルフボール打点位置、ゴルフクラブヘッド２８のフェース面における左右方向のゴルフボール打点位置を試打データとして得ることができる。
【００３６】
ゴルフクラブヘッド挙動検出ユニット１４ａは、ゴルフボールの打撃位置を斜め情報から撮影範囲内を通過するゴルフクラブヘッド２８を短時間で連続して撮像する高速度カメラを備える。撮像したゴルフクラブヘッド２８の画像は、試打データ算出部１８ａに送られる。試打データ算出部１８ａは、ゴルフクラブヘッド２８の一定時間間隔毎の位置と向きを、撮像画像の画像処理を行って算出し、時系列データとして算出することにより、上述の試打データを算出する。
なお、ゴルフクラブヘッド挙動検出ユニット１４ａは、高速度カメラを用いて、１つのゴルフクラブヘッド２８の像を得る撮像形態の他に、１フレームの画像を得る際に、ストロボ光源を複数回断続的に点灯して、ゴルフクラブヘッド２８の移動する複数の像を得る多重露光方式の撮像形態、あるいは、１フレームの画像を得る際に、高速シャッターを備えるカメラを用いて複数回高速にシャッターを開閉して、ゴルフクラブヘッド２８の移動する複数の像を得る撮像形態を用いることもできる。
このようなゴルフクラブヘッド２８の挙動は、ゴルフクラブヘッド２８にマーカを３つ異なる場所に張り付けた状態でゴルフクラブヘッド２８を撮像することによって計測することができる。マーカは、予め定めた位置に貼り付けられる。具体的には、試打データ算出部１８ａは、マーカの像をゴルフクラブヘッド２８の撮像画像の中から取り出して、撮像画像上の３つのマーカそれぞれの中心位置を求め、この中心位置の情報と、予め定めたマーカの貼り付け位置の情報とから、ゴルフクラブヘッド２８の位置と向きの情報を算出することができる。これにより、試打データ算出部１８ａはゴルフクラブヘッド２８の上述の試打データを算出することができる。図３（ａ），（ｂ）は、ゴルフクラブヘッド２８（アイアン系ゴルフクラブヘッド及びウッド系ゴルフクラブヘッド）に貼り付けるマーカＭ１〜Ｍ３の貼り付け場所の例を示す図である。
【００３７】
ゴルフボール挙動検出ユニット１４ｂは、ゴルフクラブボールの打撃直後の挙動を計測する部分である。計測によって、例えば、ゴルフボールスピード（初速度）、ゴルフボールの上下打出角、ゴルフボールの左右打出角、ゴルフボールのバックスピン量、及びゴルフボールのサイドスピン量を試打データとして算出する。ゴルフボール挙動検出ユニット１４ｂは、さらに、キャリー、左右ズレ、トータルの距離を試打データとして算出する。
【００３８】
ゴルフボール挙動検出ユニット１４ｂは、ゴルフボールの打撃時点直後から撮影範囲内を移動するゴルフボールｂを短時間に連続して少なくとも２回撮像する高速度カメラを備える。撮像したゴルフボールｂの画像は、試打データ算出部１８ａに送られる。試打データ算出部１８ａは、撮像画像の画像処理を行って撮像画像毎のゴルフボールｂの位置と向きを算出し、この算出結果を用いて、ゴルフボールｂのボールスピード（初速度）、打出角、及びスピン量を試打データとして算出する。
なお、ゴルフボール挙動検出ユニット１４ｂは、高速度カメラを用いて、１つのゴルフボールｂの像を得る撮像形態の他に、１フレームの画像を得る際に、ストロボ光源を複数回断続的に点灯して、ゴルフボールｂの移動する複数の像を得る多重露光方式の撮像形態、あるいは、１フレームの画像を得る際に、高速シャッターを備えるカメラを用いて複数回高速にシャッターを開閉して、ゴルフボールｂの移動する複数の像を得る撮像形態を用いることもできる。
このようなゴルフボールｂの挙動は、ゴルフボールｂの表面に異なる種類のマーカを異なる場所に張り付けた状態で移動するゴルフボールｂを撮像することによって計測することができる。マーカは、予め定めた位置に貼り付けられる。具体的には、試打データ算出部１８ａは、マーカの像を撮像画像の中から取り出して、撮像画像上の３つのマーカそれぞれの中心位置を求め、この中心位置の撮像画像間の位置ずれから、ゴルフボールｂの移動量及び回転量を算出し、この算出結果からボールスピード（初速度）、打出角、及びスピン量を算出する。また、試打データ算出部１８ａは、撮像画像間の、ゴルフボールｂの輪郭の大きさの変化を求めることにより、ゴルフボールｂの左右方向の移動速度を算出することができ、ゴルフボールｂの打撃直後の左右打出角を算出する。これにより、試打データ算出部１８ａはゴルフボールの試打データを算出することができる。図４（ａ）は、ゴルフボールｂに設けられる３種類のマーカＭ１〜Ｍ３の一例を示す図である。図４（ｂ）は、移動するゴルフボールｂのマーカＭ１〜Ｍ３の移動の一例を示す図である。
試打データ算出部１８ａは、算出した試打データを画像判別部１８ｃに送る。
【００３９】
ゴルフボールｂの打撃の発生のタイミングは、打撃検出ユニット１５及び特徴点取得部１８ｂを用いて得られる。
打撃検出ユニット１５は、ティーに載せたゴルフボールｂの存在の有無を検知するセンサであり、ゴルフボールｂ有りから無しに変化する時点で検出信号を生成し、この検出信号を特徴点取得部１８ｂに送る。
特徴点取得部１８ｂは、検出信号を受信し、検出信号発生時刻を打撃点のタイミングの情報として画像判別部１８ｃに送る。
【００４０】
このようなゴルフクラブ２４によるゴルフボールｂの試打で得られる試打データをゴルフクラブ２４の種類と対応付けるために、システム１０では、ゴルフクラブ２４の種類の情報と算出した試打データを対応付ける。
【００４１】
具体的には、システム１０には、ゴルフクラブ２４の試打場所にゴルフクラブヘッド撮像装置１６が設けられる。ゴルフクラブヘッド撮像装置１６は、ゴルフボールの打撃前のゴルフクラブヘッド２８を撮像する。ゴルフクラブヘッド撮像装置１６は、例えば、動画として、一定のフレームレートで撮像する。ゴルフクラブヘッド撮像装置１６は、ゴルフクラブヘッド２８がアドレスの時に位置する範囲を撮像エリアとして撮像するので、アドレスの時のゴルフクラブヘッドを確実に撮像することができる。撮像の際、撮像時刻も同時に記録される。撮像された画像は、撮像時刻の情報とともに、画像判別部１８ｃに送られる。撮像時刻の情報は、撮像のタイミングの情報として扱われる。  本実施形態におけるゴルフクラブヘッド撮像装置１６は、図２に示すように、ゴルフクラブヘッド挙動検出ユニット１４ａ及びゴルフボール挙動検出ユニット１４ｂの撮像装置とは異なる別の装置であるが、一実施形態によれば、ゴルフボールの打撃前のゴルフクラブヘッド２８を撮像するゴルフクラブヘッド撮像装置１６として、ゴルフクラブヘッド挙動検出ユニット１４ａあるいはゴルフボール挙動検出ユニット１４ｂの撮像装置を用いることもできる。
【００４２】
画像判別部１８ｃは、ゴルフクラブヘッド撮像装置１６で撮像されたゴルフクラブヘッド２８の画像のうち、打撃点（特徴点）の検出のタイミングと、ゴルフクラブヘッド撮像装置１６によるゴルフクラブヘッド２８の撮像のタイミングとの間の時間差が所定の範囲にある画像から、ゴルフクラブヘッド２８の第１外観特徴情報を取り出し、この第１外観特徴情報に基づいてゴルフクラブの種類を判別する。
打撃点（特徴点）の検出のタイミングと、画像の撮像のタイミングとの間の時間差が所定の範囲にある画像とは、例えば、打撃点の検出した時刻から遡って例えば０．５秒〜数秒の時間範囲内に撮像されたゴルフクラブヘッド２８のある画像である。打撃点の検出した時刻から遡って例えば０．５秒〜数秒の時間範囲内において、打撃前にゴルフクラブヘッドをアドレスのためにセットすることから、ゴルフクラブヘッド撮像装置１６は、アドレス状態で静止しているゴルフクラブヘッド２８を撮像することができる。したがって、画像判別部１８ｃは、アドレス状態のゴルフクラブヘッド２８の像を確実に取得することができる。画像判別部１８ｃは、この画像を画像処理することにより、ゴルフクラブヘッド２６の像を抽出する。
【００４３】
ゴルフクラブヘッド２８の像は、一例として、画像内のゴルフクラブヘッド２８に対応した特定範囲の画素値を有する画素を、例えば、人工芝等の緑色の背景に対応した画素値を有する画素から切り分けて抽出する。ゴルフクラブヘッド２８に対応した特定範囲の画素値とは、例えばウッド系ゴルフクラブであればゴルフクラブヘッド２８のクラウン部は黒色に塗装され、アイアン系のゴルフクラブでは、金属の色を呈するので、これらの色に対応した画素値を探索することで、ゴルフクラブヘッド２８の像を抽出することができる。
ゴルフクラブヘッド２８の第１外観特徴情報は、ゴルフクラブヘッド２８の大きさあるいはゴルフクラブヘッド２８の形状に関する情報を少なくとも含む。
例えば、抽出したゴルフクラブヘッド２８の像の画素の総数をゴルフクラブヘッド２８の大きさとしてもよい。抽出したゴルフクラブヘッド２８の画像の領域から、ゴルフクラブヘッド２８のゴルフクラブシャフト２６が挿入される筒形状のソケット部の像を、抽出したゴルフクラブヘッド２８の像から除去して得られるクラウン部及びサイド部の像の輪郭形状の情報を第１外観特徴情報とすることもできる。上記輪郭形状は、ウッド系のゴルフクラブの場合、種類によって大きく異なるので、抽出したクラウン部の像の輪郭形状から、ゴルフクラブの種類を判別することができる。上記輪郭形状は、例えば輪郭を表す曲線の傾斜角度あるいは曲線の曲率によって特徴付けることができる。また、クラウン部及びサイド部の像の縦横比を第１外観特徴情報とすることもできる。
画像判別部１８ｃは、取り出した第１外観特徴情報に基づいて、ゴルフクラブの種類を判別する。例えば第１外観特徴情報とゴルフクラブの種類とを対応付けた参照テーブルを予め保持しておき、取り出した第１外観特徴情報から、この参照テーブルを参照することにより、ゴルフクラブの種類を判別することができる。
【００４４】
画像判別部１８ｃは、判別したゴルフクラブの種類と、試打データとを対応付けて試打データをメモリ２２に記録保存する。
このように、ゴルフクラブヘッド撮像装置１６により撮像されたゴルフクラブヘッド２８の画像のうち、打撃点の検出のタイミングと、画像の撮像のタイミングとの間の時間差が所定の範囲にある画像から、ゴルフクラブヘッド２８の第１外観特徴情報を取り出し、この第１外観特徴情報に基づいてゴルフクラブ２４の種類を判別し、判別したゴルフクラブ２４の種類と、試打データとを対応付けて試打データを記録保存する。従来のように、ゴルフスウィングとは別に、試打に用いたゴルフクラブの識別情報を読み取るための動作をすることなく、ゴルフクラブの種類を判別することができ、この情報と対応付けした試打データを確実に取得して記録保存することができる。
【００４５】
上述したように、第１外観特徴情報は、ゴルフクラブヘッドの大きさを含む。この場合、一実施形態によれば、ゴルフクラブヘッド撮像装置１６が、ゴルフクラブヘッド２８を、打撃前のゴルフボールｂとともに撮像する場合、画像判別部１８ｃは、画像内のゴルフボールｂの大きさとゴルフクラブヘッド２８の大きさとを比較することにより、ゴルフクラブヘッド２８の大きさにより区別可能なゴルフクラブ２４の種類を判別する、ことが好ましい。ゴルフクラブヘッド撮像装置１６による撮像位置が変更して、撮像されたゴルフクラブヘッドの像の大きさが変化しても、ゴルフボールとの相対比較によりゴルフクラブヘッドの大きさを知ることができるので、例えば、ゴルフボールｂの像の大きさに対するゴルフクラブヘッド２８の像の大きさの比率によってゴルフクラブヘッド２８の像の大きさを知ることができるので、精度よくゴルフクラブ２４の種類を特定することができる。
【００４６】
また、第１外観特徴情報は、ゴルフクラブヘッド２８の像の形状を含み、画像判別部１８ｃは、ゴルフクラブヘッド２８の形状により区別可能なゴルフクラブ２４の種類を、画像内のゴルフクラブヘッド２８の像の形状により判別する、ことが好ましい。特に、ウッド系ゴルフクラブの場合、形状が番手毎に異なるので容易に判別することができる。
【００４７】
一実施形態によれば、メモリ（記録部）２２は、ゴルフクラブ２４のモデル名あるいは型番と対応付けることができる、模様、記号、及び色彩のうちの少なくとも１つの第２外観特徴情報を有する複数のゴルフクラブヘッドの参照画像を予め保持しておくことが好ましい。このとき、画像判別部１８ｃは、ゴルフクラブヘッド撮像装置１６で撮像された画像内のゴルフクラブヘッド２８の像について、メモリ２２に保持している参照画像を呼び出して、それぞれの参照画像中の第２外観特徴情報とのマッチングを行うことにより、試打に用いたゴルフクラブ２４のモデル名あるいは型番の情報を取得することができる。したがって、この場合、画像判別部１８ｃは、ゴルフクラブ２４の種類に加えて、取得したモデル名あるいは型番と試打データとを対応付けてメモリ２２に記録保存させることが好ましい。このようにモデル名あるいは型番まで試打データと対応付けることにより、試打データを、ゴルフクラブのモデル名あるいは型番毎に細かく分類し、分類した試打データを解析することにより、ゴルフクラブの不具合等をモデル名あるいは型番毎に抽出し、この情報をゴルフクラブの改良のための情報として利用することができる。
なお、予め保持する参照画像は、ゴルフクラブのフェース面を正面視する方向から見た画像の場合、参照画像とゴルフクラブヘッド２８の像のマッチング、特にパターンマッチングを行うために、ゴルフクラブヘッド撮像装置１６の撮像方向に合わせるように、参照画像を画像処理をして、マッチングを行うことが好ましい。
【００４８】
上記第２外観特徴情報は、ゴルフクラブヘッド２８の輪郭形状、ゴルフクラブヘッド２８のフェース面に設けられたスコアラインの模様、フェース面に設けられたパンチマークの形態、フェース面に形成された装飾模様、及びゴルフクラブヘッド２８に設けられたロゴマークの少なくともいずれか１つを含む、ことが好ましい。スコアラインとは、ゴルフボールｂにバックスピンを効率よく発生させるフェース面に刻まれた複数の横溝であり、モデル名あるいは型番によって横溝の長さや本数が異なる。パンチマークは、フェース面に施された外観が円形や多角形を成した凹状のディンプルであり、モデル名あるいは型番によってパンチマークの数やその配置形態が異なる。スコアラインおよびパンチマークは、日本ゴルフ協会のゴルフ規則の付属規則II（クラブのデザイン）に記載されているものである。フェース面に形成された装飾模様とは、色相、彩度、あるいは明度を変化させて形成した視覚的に視認できる模様であり、スコアラインやパンチマークと組み合わせることができる。
このような輪郭形状、スコアラインの模様、パンチマークの配置形態、フェース面に形成された装飾模様、あるいはロゴマークの少なくとも１つについて撮像したゴルフクラブヘッド２８の像と参照画像とパターンマッチングを行うことにより、試打に用いたゴルフクラブ２４のモデル名あるいは型番の情報を取得することができる。輪郭形状、スコアラインの模様、パンチマークの配置形態、フェース面に形成された装飾模様、及びロゴマークのいくつかを組み合わせてパターンマッチングを行うことにより、試打に用いたゴルフクラブ２４のモデル名あるいは型番の情報を精度高く取得することができる。
【００４９】
フェース面のスコアラインの模様やパンチマークの配置形態、フェース面に形成された装飾模様を用いてパターンマッチングを精度よく行うためには、フェース面全面が撮像されることが好ましい。しかし、アドレス状態のフェース面の前面にはゴルフボールｂが存在するため、フェース面全面が撮像することは難しい。したがって、ゴルフクラブヘッド撮像装置１６は、ゴルフクラブヘッド２８のフェース面が広い範囲で撮像されるように配置されることが好ましい。例えば、フェース面の前方の側で、ゴルフボールｂがフェース面を隠さないように傾め方向から撮像することが好ましい。
【００５０】
一実施形態によれば、試打データ算出部１８ａは、画像判別部１８ｃが判別したゴルフクラブ２４の種類に応じて、ゴルフクラブヘッド２８の挙動の計測結果から試打データを算出するための処理パラメータを設定する、ことが好ましい。
処理パラメータとは、例えば、図３（ａ），（ｂ）に示すように、ゴルフクラブヘッド２８に貼り付けるマーカＭ１〜Ｍ３の貼り付ける位置の情報である。マーカＭ１〜Ｍ３をゴルフクラブヘッドに貼り付ける位置は、予め定められている。このマーカＭ１〜Ｍ３の貼り付ける位置は、ゴルフクラブ２４の種類や仕様によって異なる。マーカＭ１〜Ｍ３の貼り付ける位置は、ゴルフクラブ２４の種類に対応して予めメモリ２２に記録保持されている。このため、試打データ算出部１８ａは、特定されたゴルフクラブ２４の種類を利用して、マーカＭ１〜Ｍ３の貼り付ける位置の情報をメモリ２２から呼び出して取得することができる。したがって、このマーカＭ１〜Ｍ３の貼り付ける位置の情報を用いて、打撃前のゴルフクラブヘッド２８の試打データを算出することができる。このようなマーカＭ１〜Ｍ３の貼り付け位置の情報は、ゴルフボールｂを打撃直前に取得してもよいが、打撃後短時間のうちに取得してもよく、少なくとも試打の度にゴルフクラブヘッド２８の試打データを算出できればよい。
【００５１】
また、一実施形態によれば、試打計測装置１４は、判別したゴルフクラブの種類に応じて、ゴルフボールｂの打撃後の挙動を計測するための計測条件を変更する、ことが好ましい。ゴルフクラブ２４が、アイアン系のゴルフクラブとウッド系のゴルフクラブの間では、さらに、アイアン系のゴルフクラブでも番手間でも、上下打出角及びボールスピード（初速度）が異なるため、ゴルフボール挙動検出ユニット１４ｂでゴルフボールｂを撮像する打撃時点を基準とした撮像の時間タイミング及び撮像の撮像視野範囲は異なる。このため、試打データ算出部１８ａは、ゴルフボールｂの挙動の計測を開始する前に、ゴルフクラブ２４の種類を画像判別部１８ｃから取得して、この情報に応じて、ゴルフボール挙動検出ユニット１４ｂの撮像の時間タイミング及び撮像の視野範囲を変更させることが好ましい。このような計測条件の変更を、試打データ算出部１８ａが指示してもよく、ＣＰＵ２０が直接指示してもよい。このような計測条件の変更を、打撃点を特徴点としてゴルフクラブヘッド２８の像を取得してゴルフクラブ２４の種類を判別する場合、ゴルフボール挙動検出ユニット１４ｂによる撮像が間に合わない。このため、特徴点として、ゴルフスウィングのテークバック時にゴルフクラブが位置センサの検出位置を通過する時点、あるいは、ゴルフスウィングのダウンスウィング時にゴルフクラブが位置センサの検出位置を通過する時点を用いることが好ましい。
【００５２】
このような試打データ取得システム１０では、メモリ２２に記録された、ゴルフクラブ２４の種類と対応付けられた試打データを、ネットワーク等を介して別途設けられた解析装置が呼び出し、解析装置が、ゴルフクラブ２４の種類毎に分けて、ゴルフクラブヘッド２８あるいはゴルフボールｂの挙動の解析するように構成することができる。すなわち、試打データ取得システム１０は、ゴルフクラブ２４の種類と対応付けられた試打データを用いて、ゴルフクラブ２４の種類毎に分けて、ゴルフボールｂの挙動の解析する解析装置を備えることが好ましい。このように試打データ取得システム１０を構成することにより、ゴルフクラブ製造業者は、後日、ゴルフクラブの種類毎に試打データを整理して、種々のタイプのゴルファに適したゴルフクラブを設計するための情報として利用することができる。
【００５３】
ゴルフクラブヘッド撮像装置１６は、アドレス中のゴルフクラブヘッド２８を動画として撮像するので、画像判別部１８ｃは、判別を行う対象となるゴルフクラブヘッド２８の像を複数取得することができる。この場合、第１外観特徴情報が外観特徴量である場合、複数のゴルフクラブヘッド２８の像から得られる外観特徴量の平均値あるいは中央値を第１外観特徴情報として用いることが好ましい。すなわち、ゴルフクラブヘッド撮像装置１６は、ゴルフボールｂとゴルフクラブヘッド２８の動画を撮像し、ゴルフクラブ２４の種類の判別に用いる画像は、所定の時間、ゴルフクラブヘッド２８の像を継続して含む複数の画像である。このとき、第１外観特徴情報が、数値で表すことができる外観特徴量を含むとき、画像判別部１８ｃは、複数の画像における外観特徴量の平均値あるいは中央値を用いて、ゴルフクラブ２４の種類を判別することが好ましい。これにより、誤差の少ない第１外観特徴情報を取得することができる。
【００５４】
このような試打データ取得システムでは、以下の試打データ取得方法で、試打データが取得される。
（１）ゴルフボールｂを試打するときのゴルフクラブ２４のゴルフクラブヘッド２８の挙動及び打撃されたゴルフボールｂの挙動の少なくとも一方の挙動を計測して、試打データ算出部１８ａにおいて試打データを取得する。
（２）ゴルフクラブ２４による試打の際に、ゴルフスイング中の特徴点の発生を検出する。特徴点は、ゴルフボールを打撃すること、ゴルフスウィングのテークバック時にゴルフクラブが位置センサの検出位置を通過すること、あるいは、ゴルフスウィングのダウンスウィング時にゴルフクラブが位置センサの検出位置を通過すること、を含む。特徴点としてゴルフボールの打撃点を用いる場合、打撃検出ユニット１５が用いられる。
（３）ゴルフボールｂの打撃前のゴルフクラブヘッド２８を、ゴルフクラブヘッドッ撮像装置１６により撮像する。
（４）撮像されたゴルフクラブヘッド２８の画像のうち、特徴点の検出のタイミングと、ゴルフクラブヘッド２８の撮像のタイミングとの間の時間差が所定の範囲にある画像から、画像判別部１８ｃにおいて、ゴルフクラブヘッド２８の第１外観特徴情報を取り出し、この第１外観特徴情報に基づいて試打に用いたゴルフクラブ２４の種類を判別する。
（５）判別したゴルフクラブ２４の種類と、試打データとを対応付けて試打データをメモリ２２に記録保存する。
【００５５】
試打に用いるゴルフクラブ２４のモデル名あるいは型番を抽出する場合、ゴルフクラブのモデル名あるいは型番と対応付けることができる、模様、記号、及び色彩のうち少なくとも１つの第２外観特徴情報を有する複数のゴルフクラブヘッドの参照画像をメモリ２２に予め保持しておく。
ゴルフクラブ２４の種類を判別するとき、撮像された画像内のゴルフクラブヘッド２８の像について、参照画像それぞれの第２外観特徴情報とマッチングを行うことにより、試打に用いたゴルフクラブ２４のモデル名あるいは型番の情報を取得する。
取得したモデル名あるいは型番と、試打データとを対応付けてメモリ２２に記録保存する。
【００５６】
以上、本発明の試打データ取得システム及び試打データ取得方法について詳細に説明したが、本発明は上記実施形態に限定されず、本発明の主旨を逸脱しない範囲において、種々の改良や変更してもよいのはもちろんである。
【符号の説明】
【００５７】
１０  試打データ取得システム
１４  試打計測装置
１４ａ  ゴルフクラブヘッド挙動検出ユニット
１４ｂ  ゴルフボール挙動検出ユニット
１５  打撃検出ユニット
１６  ゴルフクラブヘッド撮像装置
１８  処理装置
１８ａ  試打データ算出部
１８ｂ  特徴点取得部
１８ｃ  画像判別部
２０  ＣＰＵ
２２  メモリ
２４  ゴルフクラブ
２６  ゴルフクラブシャフト
２８  ゴルフクラブヘッド
３０  ディスプレイ
３２  操作部
【図１】
2020074920.tif 000003
【図２】
2020074920.tif 000004
【図３】
2020074920.tif 000005
【図４】
2020074920.tif 000006